(57)【要約】【課題】建築物の内部に配置された放熱器に熱媒を循環供給し、放熱器から輻射される熱気や冷気により室内の空調を行う空調システムにおいて、建築物の生活空間内の有効スペースの狭隘化を回避することができる空調システムを提供する。【解決手段】空調システム６００は、建物１０内の部屋１，２，３，４の出入り口のドアに配置された放熱器１００と、熱媒の温度調節を行うため建物１０外に配置された熱源機１２と、放熱器１００と熱源機１２との間で熱媒を循環させる第１流通経路１３と、建物１０内に外気を導入するための給気経路１４及び給気手段１５と、給気手段１５で導入される外気を浄化する清浄化手段１６と、給気手段１５で導入される外気の温度調節を行う熱交換器１７と、各部屋１，２，３，４の空気が流出可能な排気経路５，６，７，８と、熱交換器１７と熱源機１２との間で熱媒を循環させる第２流通経路１８とを備えている。【選択図】図１
2015105782.tif 000002
【特許請求の範囲】
【請求項１】
鉛直方向に配列された複数の縦パイプと、前記縦パイプの上端及び下端をそれぞれ水平方向に連通する流路を有する上部ヘッダ部材及び下部ヘッダ部材と、を有する柵状パネルを備え、温度調節された熱媒を前記柵状パネルの内部に流通させ表面から暖気若しくは冷気を放出して空調を行うため建物内に配置された放熱器と、
前記熱媒の温度調節を行うため前記建物外に配置された熱源機と、
前記放熱器と前記熱源機との間で前記熱媒を循環させる第１流通経路と、を備えた空調システムにおいて、
前記放熱器を、前記建物内の居室の出入り口に配備された開閉手段、前記建物内の物品収納空間の開口部の開閉手段若しくは前記開閉手段の移動範囲に臨む領域に配置したことを特徴とする空調システム。
【請求項２】
前記放熱器を前記開閉手段の横幅、高さ及び厚さ（奥行き）の範囲内に配置した請求項１記載の空調システム。
【請求項３】
前記開閉手段が蝶番若しくは支軸を介して開閉するドア若しくは折り戸であって、前記第１流通経路を前記蝶番若しくは前記支軸を経由して前記放熱器に接続した請求項１〜３のいずれかに記載の空調システム。
【請求項４】
前記放熱器に前記柵状パネルと略平行な平板状の仕切部材若しくは熱反射部材を設けた請求項３記載の空調システム。
【請求項５】
前記放熱器を透明材料若しくは前記開閉手段と同色彩の材料で形成した請求項１〜４のいずれかに記載の空調システム。
【請求項６】
前記建物内に外気を導入するための給気経路及び給気手段と、
前記給気手段で導入される外気を浄化する清浄化手段と、
前記給気手段で導入される外気の温度調節を行う熱交換器と、
前記建物内の空気が流出可能な排気経路と、
前記熱交換器と前記熱源機との間で前記熱媒を循環させる第２流通経路と、を設けた請求項１〜５のいずれかに記載の空調システム。
【請求項７】
前記給気経路の給気口を前記開閉手段の近傍に設けた請求項１〜６のいずれかに記載の空調システム。
【発明の詳細な説明】
【技術分野】
【０００１】
本発明は、建物内に配置された放熱器に熱媒を循環供給し、放熱器から輻射される熱気や冷気により建物内の冷暖房を行う空調技術に関する。
【背景技術】
【０００２】
建築物内の冷暖房を行う空調システムとしては、所謂、ルームエアコンなどの空調装置を用いたものが代表的である。従来の空調装置は、室外機で適度に温度調節された空気流を建物内に配置した室内機から室内に吹き出すことにより空調を行うものであるが、特に夏の暑い時季は、室内機から吹き出す空調空気によって生じる気流感により涼しく感じることができるが、場合によってはドラフトという不快な現象が発生することがある。
【０００３】
そこで、室内に配置された放熱器に熱媒を循環供給し、放熱器から輻射される熱気や冷気によって室内の空調を行う空調システムが提案されている（例えば、特許文献１参照。）。特許文献１記載の「冷暖房システム」は、冷暖房パネルと、この冷暖房パネルの内部に高温あるいは低温の流体を流通させる流体供給装置とを備え、流体供給装置として、配管と、ポンプと、燃料ボイラと、ヒートポンプとが設けられている。
【０００４】
また、本発明関連するその他の従来技術として、例えば、特許文献２記載の「遠赤外線発生ドアー」あるいは特許文献３記載の「洗濯機収納空間のドア」などがある。
【０００５】
特許文献２記載の「遠赤外線発生ドアー」は、ドアーの一部に設置された温水配管の前面を遠赤外線発生パネルで化粧し、低温度温水を温水配管に通湯させて遠赤外線を発生させることによって温水暖房及び遠赤外線暖房を行うものである。
【０００６】
特許文献３に記載されている「洗濯収納空間のドア」は、洗濯機が配置された空間の前部を開閉するドアの前面に間隔をおいてパネルヒータを付設したものであり、このパネルヒータにより洗面室空間の暖房などを行うことができる。
【先行技術文献】
【特許文献】
【０００７】
【特許文献１】特開２００８−１２１９０７号公報
【特許文献２】実開昭６３−７１３９２号公報
【特許文献３】特開２００１−４０９５７号公報
【発明の概要】
【発明が解決しようとする課題】
【０００８】
特許文献１に記載された冷暖房パネルを用いた「空調システム」は、無風状態でありながら、輻射作用により快適な空調空間を実現することができる点において優れているが、建築物の内部に冷暖房パネルを設置する場所を設けなければならないので、生活空間内の有効スペースを狭隘化させることがある。
【０００９】
一方、特許文献２記載の「遠赤外線発生ドアー」及び特許文献３記載の「洗濯機収納空間のドア」の場合、別途、温水配管やパネルヒータを設置するための場所を設ける必要はないが、冷房運転について考慮されていない。また、特許文献２，３に記載された発明はいずれも浴室、脱衣所、トイレ等の比較的狭い部屋のドアを対象としたものであるため、一般的な建物の内部の空調には不向きである。特に、特許文献２記載の発明においては、８０℃程度の温水が使用されるため冬期の浴室内の暖房に適しているが、居室の暖房には温度が高過ぎて不適である。
【００１０】
そこで、本発明が解決しようとする課題は、建築物の内部に配置された放熱器に熱媒を循環供給し、放熱器から輻射される熱気や冷気により建物内の空調を行う空調システムにおいて、建物内の生活空間の有効スペースの狭隘化を回避することができる空調システムを提供することにある。
【課題を解決するための手段】
【００１１】
本発明の空調システムは、鉛直方向に配列された複数の縦パイプと、前記縦パイプの上端及び下端をそれぞれ水平方向に連通する流路を有する上部ヘッダ部材及び下部ヘッダ部材と、を有する柵状パネルを備え、温度調節された熱媒を前記柵状パネルの内部に流通させ表面から暖気若しくは冷気を放出して空調を行うため建物内に配置された放熱器と、
前記熱媒の温度調節を行うため前記建物外に配置された熱源機と、
前記放熱器と前記熱源機との間で前記熱媒を循環させる第１流通経路と、を備えた空調システムにおいて、
前記放熱器を、前記建物内の居室の出入り口に配備された開閉手段、前記建物内の物品収納空間の開口部の開閉手段若しくは前記開閉手段の移動範囲に臨む領域に配置したことを特徴とする。
【００１２】
このような構成とすれば、建築物の内部に配置された放熱器に熱媒を循環供給し、放熱器の柵状パネルから輻射される熱気や冷気により室内の空調を行う空調システムにおいて、居室の壁際などに放熱器の設置スペースを設ける必要がなくなるので、建築物の生活空間内の有効スペースの狭隘化を回避することができる。
【００１３】
前記放熱器を前記開閉手段の横幅、高さ及び厚さ（奥行き）の範囲内に配置することができる。
【００１４】
このような構成とすれば、放熱器が開閉手段の大きさの範囲内に納まるので、生活空間の有効スペースの狭隘化を回避する。
【００１５】
また、前記開閉手段が蝶番若しくは支軸を介して開閉するドア若しくは折り戸であって、前記第１流通経路を前記蝶番若しくは前記支軸を経由して前記放熱器に接続することもできる。
【００１６】
このような構成とすれば、ドア若しくは折り戸の開閉操作に伴う第１流通経路の変形を回避することができるので、第１流通経路の劣化や損傷を防止することができる。また、第１流通経路の露出も抑制することができるので、外観性も向上する。
【００１７】
この場合、前記放熱器に前記柵状パネルと略平行な平板状の仕切部材若しくは熱反射部材を設けることができる。
【００１８】
このような構成とすれば、仕切部材を設けることにより、ドア（折り戸）の両面から輻射が可能となり、熱反射部材を設けることにより、放熱器から放射された冷気または暖気が空調対象空間に向かって拡散するので空調効率を高めることができる。
【００１９】
一方、前記放熱器を透明材料若しくは前記開閉手段と同色彩の材料で形成することもできる。
【００２０】
このような構成とすれば、開閉手段と放熱器との視覚的な一体感が生じるので、放熱器の外観から生じる圧迫感や違和感を緩和することができる。
【００２１】
さらに、前記建物内に外気を導入するための給気経路及び給気手段と、
前記給気手段で導入される外気を浄化する清浄化手段と、
前記給気手段で導入される外気の温度調節を行う熱交換器と、
前記建物内の空気が流出可能な排気経路と、
前記熱交換器と前記熱源機との間で前記熱媒を循環させる第２流通経路と、を設けることもできる。
【００２２】
このような構成とすれば、建物内の換気を実施しながら、建物内の冷暖房を行うとともに、空気を清浄化する機能を有する空調システムを構築することができる。
【００２３】
この場合、前記給気経路の給気口を前記開閉手段の近傍に設けることができる。
【００２４】
開閉手段の近傍（例えば、開閉手段に面する床面、天井面あるいは壁面や、開閉手段の開閉範囲の下方に位置する床面、天井面あるいは壁面など）は元々家具などを設置できない領域であるため、これらの場所に給気口を設ければ、給気口を設置する場所の選定に迷う必要がない。また、開閉手段に面する床面や開閉手段の下方に位置する床面に給気口を設ければ、壁面の上方に設けられることの多い、排気経路の排気口に向かって空気が流れる際に、部屋内を淀みなく空気流が通過するので、確実な空調作用、換気作用を得ることができる。
【発明の効果】
【００２５】
本発明により、建築物の内部に配置された放熱器に熱媒を循環供給し、放熱器から輻射される熱気や冷気により室内の空調を行う空調システムにおいて、建築物の生活空間内の有効スペースの狭隘化を回避することができる空調システムを提供することができる。
【図面の簡単な説明】
【００２６】
【図１】本発明の実施形態である空調システムの概略構成を示す図である。
【図２】図１中の矢線Ａ方向から見た放熱器付近の一部省略正面図である。
【図３】図２中のＢ−Ｂ線における一部省略断面図である。
【図４】本発明の第２実施形態である空調システムを構成する放熱器付近の一部省略正面図である。
【図５】図４中のＣ−Ｃ線における一部省略断面図である。
【図６】本発明の第３実施形態である空調システムを構成する放熱器付近の一部省略正面図である。
【図７】図６中の引き戸を開いた状態を示す一部省略正面図である。
【図８】図６中のＤ−Ｄ線における一部省略断面図である。
【図９】本発明の第４実施形態である空調システムを構成する放熱器付近の一部省略正面図である。
【図１０】図９中の引き戸を開いた状態を示す一部省略正面図である。
【図１１】本発明の第５実施形態である空調システムを構成する放熱器付近の一部省略正面図である。
【図１２】図９中の折り戸を開いた状態を示す一部省略正面図である。
【発明を実施するための形態】
【００２７】
以下、図面に基づいて本発明の実施形態について説明する。図１に示す空調システム６００は、図２，図３に示す放熱器１００を用いて構築されたものである。初めに、空調システム６００の構成、機能などについて説明し、次に、放熱器１００の構造、機能及び配置状態などについて説明する。
【００２８】
図１に示すように、空調システム６００は、建物１０内の複数の部屋１，２，３，４の出入り口３０の開閉手段であるドア３１にそれぞれ配置された放熱器１００と、熱媒の温度調節を行うため建物１０外に配置された熱源機（ヒートポンプ）１２と、放熱器１００と熱源機１２との間で前記熱媒を循環させる第１流通経路１３と、建物１０内に外気を導入して建物１０内の気圧を正圧に保持するための給気経路１４及び給気手段（ファン）１５と、給気手段１５で導入される外気を浄化する清浄化手段（フィルタ）１６と、給気手段１５で導入される外気の温度調節を行う熱交換器１７と、建物１０内の各部屋１，２，３，４の空気が流出可能な排気経路５，６，７，８と、熱交換器１７と熱源機１２との間で前記熱媒を循環させる第２流通経路１８とを備えている。
【００２９】
空調システム６００においては、第１流通経路１３を経由して熱源機１２と放熱器１００との間を循環する熱媒として水を使用しているが、これに限定されるものではない。また、給気手段１５のサイズ（性能）なども、限定しないが、建物１０に応じて、建築基準法で定められている必要換気量（０．５回／ｈ）を満たすことができるサイズ（性能）のものを選定することができる。
【００３０】
給気経路１４は、部屋２の外壁部１０ａに開設された開口部１０から１階天井部Ｃ１と２階床部Ｆ２との間に形成された通気経路１９を経由して２階側の部屋３，４の給気口２１に連通している。本実施形態では、建物１０の１階天井部Ｃ１と２階床部Ｆ２との間に気密断熱状のダクトレス空間を形成し、このダクトレス空間を通気経路１９とし、１階側の部屋１，２の給気口２１ａが部屋１，２の天井面１ｃ，２ｃに設けられている。
【００３１】
排気経路５，６，７，８は各部屋１，２，３，４の外壁部１０ａに開設されている。排気経路５，６，７，８にはそれぞれ逆流防止機能と所定の圧力差で開放する機能を有する差圧調節手段９が設けられている。排気経路５，６，７，８の外側にはそれぞれ防雨用のフード１０ｃが設けられている。
【００３２】
空調システム６００において、熱源機１２及び給気手段１５を稼働させると、熱源機１２において温度調節された熱媒が、第１流通経路１３を経由して各部屋１，２，３，４内の放熱器１００との間で循環するとともに、第２流通経路１８を経由して熱交換器１７との間で循環する。これと並行して、給気手段１５により、建物１０の外部から、清浄化手段１６を通過して吸い込まれた外気が熱交換器１７、給気経路１４及び開口部１０ｂなどを経由して給気口２１，２１ａから部屋１，２，３，４内へ流入する。
【００３３】
このとき、給気手段１５の送風能力及び排気経路５，６，７，８の開度は、建物１０内の気圧が正圧を維持することができるように設定され、熱源機１２及び給気手段１５はいずれも連続稼働（所謂、２４時間運転）することができる。従って、空調システム５００は、第２種換気方式の２４時間換気機能を発揮する。
【００３４】
空調システム６００において、季節（気温）に応じて熱源機１２で温度調節された熱媒を、第一流通経路１３を経由して、建物１０内の各部屋１，２，３，４に配置された放熱器１００に循環流通させることにより、各放熱器１００から放出される暖気若しくは冷気により、それぞれの部屋１，２，３，４内を適切な温度で暖房したり、冷房したりする輻射空調を行うことができる。また、空調システム６００においては、建物１０内に電動式の送風ファンなどを設ける必要がないので、当該空調システム６００が稼働しているときも建物１０内を静寂に保つことができる。
【００３５】
一方、図１に示す空調システム６００において、給気手段１５により導入される外気は、清浄化手段１６で浄化され、熱交換器１７で適切な温度に調節され、建物１０内の気圧を正圧に保持できるような風圧（風量）で建物１０内に供給される。給気手段１５により導入される外気は、供給経路１４及び通気経路１９を経由して給気口２１ａ，２１から各部屋１，２，３，４内へ流入して拡散した後、それぞれの一部は排気経路５，６，７，８から屋外へ排出される。
【００３６】
また、暖房及び冷房が不要な中間期においては、熱源機１２の運転を停止して、放熱器１００及び熱交換器１７の機能を停止する一方、給気手段１５を連続運転することにより、第２種換気方式の２４時間換気を行うことができる。なお、清浄化手段１６としては、空気中の塵埃などを捕捉する機能を有するフィルタが好適であるが、エアワッシャなどを使用することもできる。
【００３７】
また、建物１０の１階天井部Ｃ１と２階床部Ｆ２との間に形成されたダクトレス空間を、給気経路１４の一部をなす気密断熱性の通気経路１９としたことにより、給気口２１，２１ａから部屋１，２，３，４内へ導入される外気流を確保することができるので、確実な換気作用を得ることができる。また、通気経路１９が給気経路として機能するので、給気口２１，２１ａに接続するダクトの施工が不要となり、資材の削減及び施工の容易化を図ることができる。また、通気経路１９に面する１階天井部Ｃ１や２階床部Ｆ２を介して輻射作用が生じるので、空調効果の向上に有効である。
【００３８】
空調システム６００において、第１流通経路１３、第２流通経路１８の少なくとも一方に経路開閉手段（図示せず）を設ければ、空調負荷などに応じて、前記経路開閉手段を開閉することにより、第１流通経路１３に接続された放熱器１００、第２流通経路１８に接続された熱交換器１７のいずれか一方のみの運転が可能となるので、空調効率の向上に有効である。
【００３９】
例えば、放熱器１００による輻射空調を行いながら、外気をそのまま取り入れたい場合（輻射空調のみを実行したい場合など）は、熱交換器１７に接続される第２流通経路１８の途中に設けた前記経路開閉手段（図示せず）を閉止して、熱交換器１７への熱媒の循環を停止させることによって実現することができる。また、第１流通経路１３に設けた経路開閉手段（図示せず）を閉止して、放熱器１００への熱媒の循環を停止させれば、外気の温度調節のみの運転も可能である。
【００４０】
また、熱交換器１７の熱源として、放熱器１００の熱源である熱源機１２を利用することにより、建物１０内へ導入する外気の温度調節用の熱源を別途、設ける必要がなくなるので、構造の簡素化、設置スペースの削減を図ることができる。
【００４１】
さらに、外気を熱交換器１７で熱交換して建物１０内へ導入するので、特に夏場は高温多湿の外気を冷却することで除湿、冷却された外気を導入することができ、建物１０内を快適な状態にすることができる。なお、夏場は特に放熱器１００表面に結露が発生することがあるが、建物１０内へ導入する外気を予め除湿冷却すれば、放熱器１００の表面に発生する結露を緩和させることができる。
【００４２】
一方、排気経路５，６，７，８に、それぞれ逆流防止機能を有する差圧調節手段９が設けられているため、建物１０内の気圧と建物外の気圧との間に所定の圧力差を設定することができ、建物１０内を常に安定した正圧に保つことができる。この場合、建物１０内の気圧と建物外の気圧との圧力差は５Ｐａ〜１０Ｐａ程度に設定することが望ましい。また、建物１０に設けられた扉（図示せず）などの開閉操作により建物１０内の気圧が変動した場合、これに追随して、差圧調節手段９の逆流防止機能が作動するので、排気経路５，６，７，８からの外気侵入を防止することができる。
【００４３】
また、排気経路５，６，７，８から排出される空気量を差圧調節手段９で増減させることにより、建物１０内の気圧を昇降させることもできるので、建物外の気圧などが変化した場合でも、汚染物質の侵入防止機能を適切な状態に設定することができる。さらに、差圧調節手段９は逆流防止手段も有するので、給気手段１５の故障や停止などの原因で建物１０内の正圧が維持できなくなった場合、あるいは強風などにより排気経路５，６，７，８に向かって外気が吹き込むような事態が生じた場合でも、汚染物質を含む外気の建物１０内への侵入を防止することができる。
【００４４】
なお、逆流防止機能を有する差圧調節手段９は、特に限定しないので、予め設定された一定圧力以上で開放状態を保ち、一定圧力未満で閉鎖する機能を有するものを使用することができる。また、逆流防止機能を有する差圧調節手段９は、圧力差により開閉する羽根にウエイトなどを取り付け、一定圧力差以上で開放し、圧力差がなくなると自重で閉止する機構をもつ差圧開閉手段などを好適に使用することができる。設定圧力はウエイトの取り付け個数などで任意に設定できるものでもよい。この場合、ウエイト個数が増えれば開放する際の圧力が高くなり、外気との差圧を大きくとることができ、ウエイト個数が減れば開放圧力が下がり、外気との差圧を小さくすることができる。
【００４５】
そのほか、排気経路５，６，７，８に排気ファン（図示せず）を設けて第１種換気方式の２４時間換気を行うこともできる。この場合も、開口部１０ｂからの給気量が、排気経路５，６，７，８からの排気量よりも多くなるように設定すれば、第１種換気方式により計画的な換気を実現しつつ、建物１０内を常に正圧に保つことができる。また、建物１０内の気圧と建物外の気圧との間に設定されている圧力差を変更する場合は前記排気ファンの回転数を変更することによっても対応可能である。
【００４６】
本実施形態において建物１０は高気密・高断熱構造であるが、これに限定しないので、中気密・中断熱構造の建物などにおいても本発明の空調システムを施工することが可能であり、そのような建物においても、建物内を常に静寂かつ快適で清浄な雰囲気に保つことができる。
【００４７】
次に、図２，図３を参照しながら放熱器１００について説明する。図２，図３に示すように、放熱器１００は、鉛直方向に配列された複数の縦パイプ１０１（１０２）と、縦パイプ１０１（１０２）の上端及び下端をそれぞれ水平方向に連通する流路を有する上部ヘッダ部材１０３（１０４）及び下部ヘッダ部材１０５（１０６）と、を備えた柵状パネル１０７（１０８）を前後２枚配置して形成されている。なお、柵状パネル１０７（１０８）は２枚に限定するものではないないので、１枚若しくは３枚以上とすることもできる。
【００４８】
熱源機１２（図１参照）にて温度調節された熱媒は、上部ヘッダ部材１０３の左端寄りに設けられた流入管１０３ａから上部ヘッダ部材１０３内へ流入し、上部ヘッダ部材１０３内に設けられた仕切手段（図示せず）の作用により、柵状パネル１０７の左端に位置する縦パイプ１０１ａ内のみに流入し、この縦パイプ１０１ａ内を下降して下部ヘッダ部材１０５内へ流入する。下部ヘッダ部材１０５内へ流入した熱媒は、その内部を右端に向かって流動しながら、複数の縦パイプ１０１内へ流入し、それぞれの縦パイプ１０１内を上部ヘッダ部材１０３に向かって上昇する。
【００４９】
複数の縦パイプ１０１の上端まで上昇して上部ヘッダ部材１０３内へ流入した熱媒は、その内部を右端に向かって流動し、上部ヘッダ部材１０３の右端部と、上部ヘッダ部材１０４の右端部とを連通する連通流路１２０内を通過して、上部ヘッダ部材１０４の右端部に流入する。
【００５０】
上部ヘッダ部材１０４の左端部に流入した熱媒は、上部ヘッダ部材１０４内に設けられた仕切手段（図示せず）の作用により、柵状パネル１０８の右端に位置する縦パイプ１０２ａ内にのみ流入し、この縦パイプ１０２ａ内を下降して、下部ヘッダ部材１０６内へ流入する。下部ヘッダ部材１０６内に流入した熱媒は、その内部を左端に向かって流動しながら、複数の縦パイプ１０２内へ流入し、それぞれの縦パイプ１０２内を上昇する。
【００５１】
複数の縦パイプ１０２の上端部まで上昇した熱媒は上部ヘッダ部材１０４内へ流入し、その内部を左端に向かって流動し、上部ヘッダ部材１０４の左端寄りに設けられた流出管１０４ａから流出し、熱源機１２（図１参照）へ向かう。
【００５２】
このように、放熱器１００は、熱源機１２で温度調節された熱媒を、上部ヘッダ部材１０３，１０４及び下部ヘッダ部材１０５，１０６を介して、複数の縦パイプ１０１，１０１ａ，１０２，１０２ａ内に流動させ、縦パイプ１０１，１０１ａ，１０２，１０２ａなどの表面から暖気若しくは冷気を放出させることによって建物内の空調を行う。
【００５３】
前述したように、放熱器１００は、建物１０内の複数の部屋１，２，３，４の出入り口３０のドア３１の一方の面（部屋１，２，３，４の内部に臨む面）に配置されている。従って、図１に示す空調システム６００において、部屋１，２，３，４の壁際などに放熱器１００の設置スペースを設ける必要がなくなり、建物１０の生活空間内の有効スペースの狭隘化を回避することができる。なお、本実施形態では、ドア３１の一方の面に放熱器１００を配置しているが、これに限定するものではないので、ドア３１の両面に放熱器１００を配置することもできる。このような構成とすれば、ドア３１の両面から暖気や冷気を放出させることにより、部屋側及び廊下側を同時に空調することが可能となるので、建物１０の内部全体をムラなく空調することができる。
【００５４】
図２に示すように、ドア３０は蝶番３２を介して開閉する方式であり、第１流通経路１３と、流入管１０３ａ及び流出管１０４ａとは、蝶番３２と略同軸上に配置された連通部材３３，３４を経由して接続されている。連通部材３３，３４は蝶番状に回動可能であるため、第１流通経路１３と、流入管１０３ａ及び流出管１０４ａとの連通状態を維持したままドア３０の開閉動作を行うことができ、ドア３０の開閉動作により、第１流通経路１３、流入管１０３ａあるいは流出管１０４ａが変形することもないので、第１流通経路１３などの劣化や損傷を防止することができる。また、第１流通経路１３の露出も抑制することができるので、外観性も良好である。
【００５５】
なお、放熱器１００を透明材料若しくはドア３０と同色彩の材料で形成すれば、ドア３０と放熱器１００との視覚的な一体感が生じるので、放熱器１００の外観から生じる圧迫感や違和感を緩和することができる。
【００５６】
一方、図１に示すように、１階側の部屋１，２の給気口２１ａ，２１ａはそれぞれのドア３０の近傍（ドア３０に面する天井面１ｃ，２ｃ）に設けられ、２階側の部屋３，４の給気口２１，２１はそれぞれのドア３０の近傍（ドア３０に面する床面３ｆ，４ｆ）に設けられている。各部屋１，２，３，４のドア３０の近傍は元々家具などを設置できない領域であるため、これらの場所に給気口２１，２１ａを設ければ、給気口を設置する場所の選定に迷う必要がない。
【００５７】
また、ドア３０に面する床面３ｆ，４ｆに給気口２１を設ければ、壁面の上方に設けられた排気経路７，８の排気口に向かって空気が流れる際に、部屋３，４内を淀みなく空気流が通過するので、確実な空調作用、換気作用を得ることができる。
【００５８】
次に、図４〜図１２に基づいて、本発明の第２，３，４，５実施形態である空調システムを構成する放熱器２００，３００，４００，５００について説明する。なお、放熱器２００，３００，４００，５００において放熱器１００と共通する部分については図２，図３中の符号と同符号を付して説明を省略する。
【００５９】
図４，図５に示す第２実施形態においては、放熱器２００が、出入り口４０のドア４１の内部に埋め込まれた状態に収容されており、換言すると、放熱器２００はドア４１の横幅、高さ及び厚さ（奥行き）の範囲内に配置されている。また、放熱器２００を構成する２枚の柵状パネル１０７，１０８の間に柵状パネル１０７，１０８と略平行な平板状の仕切部材２０１が設けられている。
【００６０】
このような仕切部材２０１を設けたことにより、ドア３１の両面からの輻射が可能となり、また、仕切部材２０１が熱反射機能を有するものであれば、柵状パネル１０７，１０８から放射された冷気または暖気が仕切部材２０１で反射され空調対象空間に向かって拡散するので空調効率を高めることができる。また、放熱器２００がドア４１の大きさの範囲内に納まるので、生活空間の有効スペースの狭隘化を回避することができる。
【００６１】
図６〜図８に示す第３実施形態においては、放熱器３００が、出入り口５０の開閉手段である引き戸５１の内部に埋め込まれた状態に収容され、放熱器３００を構成する２枚の柵状パネル１０７，１０８の間に柵状パネル１０７，１０８と略平行な平板状の熱反射機能を有する仕切部材２０１が設けられ、柵状パネル１０７，１０８の外面側は、それぞれ非透光性の表面パネル５２で覆われている。
【００６２】
放熱器３００は引き戸５１の大きさの範囲内に納まるので、生活空間の有効スペースの狭隘化を回避することができ、また、柵状パネル１０７，１０８の外面側が非透光性の表面パネル５２で覆われ、柵状パネル１０７，１０８が見えないので、部屋のデザインや雰囲気に影響を及ぼさないというメリットがある。
【００６３】
次に、図９，図１０に示す第４実施形態においては、放熱器４００が、出入り口６０の開閉手段である引き戸６１の移動範囲に臨む領域である壁面６２に配置されている。具体的には、引き戸６１を開いたり閉じたりするときの引き戸６１の移動範囲であって、出入り口６０を全開したときの引き戸６１の収容スペースである戸袋６３に臨む壁面６２に放熱器４００が配置されている。引き戸６１を閉めたときに放熱器４００が室内に露出し、引き戸６１を開くと放熱器４００が隠れるが、引き戸６１の開閉状態に関係なく放熱器４００自体の放熱機能は維持される。
【００６４】
図９，図１０に示すように、戸袋６３に臨む壁面６２に放熱器４００を配置すれば、生活空間の有効スペースの狭隘化を回避することができ、引き戸６１の構造や機能、その開閉操作に影響を及ぼすこともない。
【００６５】
次に、図１１，図１２に示す第５実施形態においては、放熱器５００が、建物内の物品収納空間７０の開口部７１の開閉手段である折り戸７２，７３のうちの一方の折り戸７２内に収容された状態で配置されている。放熱器５００は、折り戸７２を形成する表面パネル７２ａで覆われており、室内側から見えない状態にあるため、室内のデザイン、雰囲気に影響を及ぼすこともない。折り戸７２，７３の開閉状態に関係なく放熱器５００自体の放熱機能は維持される。
【００６６】
図１０，図１１に示すように、放熱器５００は、開口部７１の半分領域を開閉する一方の折り戸７２のみに配置されているが、室内の空調負荷などに応じて、折り戸７２，７３の両方に配置したり、折り戸７３のみに配置したりすることもできる。このように、折り戸７２の内部に放熱器４００を配置すれば、生活空間の有効スペースの狭隘化を回避しつつ、空調効果を得ることができる。
【００６７】
なお、図１〜図１２に基づいて説明した空調システム６００及び放熱器１００，２００，３００，４００，５００はいずれも本発明を例示するものであり、本発明に係る放熱器及びこれを用いた空調システムは前述した実施形態に限定されない。
【産業上の利用可能性】
【００６８】
本発明の空調システムは、戸建て住宅や集合住宅などの各種建築物における空調技術として、建築・建設産業の分野などにおいて広く利用することができる。
【符号の説明】
【００６９】
１，２，３，４  部屋
１ａ，２ａ，３ａ，４ａ  出入り口
１ｂ，２ｂ，３ｂ，４ｂ  ドア
５，６，７，８  排気経路
９  差圧調節手段
１０  建物
１０ａ  外壁部
１０ｂ  開口部
１０ｃ  フード
１２  熱源機
１３  第１流通経路
１４  給気経路
１５  給気手段
１６  清浄化手段
１７  熱交換器
１８  第２流通経路
１９  通気経路
２１ａ，２１ｂ  給気口
３０，４０，５０，６０  出入り口
３１，４１  ドア
３２  蝶番
３３，３４  連通部材
５１，６１  引き戸
５２，７２ａ  表面パネル
６２  壁面
６３  戸袋
７０  物品収容空間
７１  開口部
７２，７３  折り戸
１００，２００，３００，４００，５００  放熱器
１０３，１０４  上部ヘッダ部材
１０３ａ  流入部
１０４ａ  流出部
１０５，１０６  下部ヘッダ部材
１０７，１０８  柵状パネル
１２０  連通流路
２０１  仕切部材
６００  空調システム
Ｃ  天井面
Ｃ１  １階天井部
Ｆ  床面
Ｆ２  ２階床部
【図１】
2015105782.tif 000003
【図２】
2015105782.tif 000004
【図３】
2015105782.tif 000005
【図４】
2015105782.tif 000006
【図５】
2015105782.tif 000007
【図６】
2015105782.tif 000008
【図７】
2015105782.tif 000009
【図８】
2015105782.tif 000010
【図９】
2015105782.tif 000011
【図１０】
2015105782.tif 000012
【図１１】
2015105782.tif 000013
【図１２】
2015105782.tif 000014
【手続補正書】
【提出日】平成27年1月29日(2015.1.29)
【手続補正１】
【補正対象書類名】特許請求の範囲
【補正対象項目名】全文
【補正方法】変更
【補正の内容】
【特許請求の範囲】
【請求項１】
鉛直方向に配列された複数の縦パイプと、前記縦パイプの上端及び下端をそれぞれ水平方向に連通する流路を有する上部ヘッダ部材及び下部ヘッダ部材と、を有する柵状パネルを備え、温度調節された熱媒を前記柵状パネルの内部に流通させ表面から暖気若しくは冷気を放出して空調を行うため建物内に配置された放熱器と、
前記熱媒の温度調節を行うため前記建物外に配置された熱源機と、
前記放熱器と前記熱源機との間で前記熱媒を循環させる第１流通経路と、を備えた空調システムにおいて、
前記放熱器を、前記建物内の居室の出入り口に配備された開閉手段、前記建物内の物品収納空間の開口部の開閉手段若しくは前記開閉手段の移動範囲に臨む領域に配置し、
前記建物内に外気を導入するための給気経路及び給気手段と、
前記建物内の空気が流出可能な排気経路と、を設け、
前記排気経路に、逆流防止機能と所定の圧力差で開放する機能を有する差圧調節手段を設けたことを特徴とする空調システム。
【請求項２】
前記放熱器を前記開閉手段の横幅、高さ及び厚さ（奥行き）の範囲内に配置した請求項１記載の空調システム。
【請求項３】
前記開閉手段が蝶番若しくは支軸を介して開閉するドア若しくは折り戸であって、前記第１流通経路を前記蝶番若しくは前記支軸を経由して前記放熱器に接続した請求項１，２のいずれかに記載の空調システム。
【請求項４】
前記放熱器に前記柵状パネルと略平行な平板状の仕切部材若しくは熱反射部材を設けた請求項３記載の空調システム。
【請求項５】
前記放熱器を透明材料若しくは前記開閉手段と同色彩の材料で形成した請求項１〜４のいずれかに記載の空調システム。
【請求項６】
前記給気手段で導入される外気を浄化する清浄化手段と、
前記給気手段で導入される外気の温度調節を行う熱交換器と、
前記熱交換器と前記熱源機との間で前記熱媒を循環させる第２流通経路と、を設けた請求項１〜５のいずれかに記載の空調システム。
【請求項７】
前記給気経路の給気口を前記開閉手段の近傍に設けた請求項１〜６のいずれかに記載の空調システム。
【手続補正２】
【補正対象書類名】明細書
【補正対象項目名】００１１
【補正方法】変更
【補正の内容】
【００１１】
本発明の空調システムは、鉛直方向に配列された複数の縦パイプと、前記縦パイプの上端及び下端をそれぞれ水平方向に連通する流路を有する上部ヘッダ部材及び下部ヘッダ部材と、を有する柵状パネルを備え、温度調節された熱媒を前記柵状パネルの内部に流通させ表面から暖気若しくは冷気を放出して空調を行うため建物内に配置された放熱器と、
前記熱媒の温度調節を行うため前記建物外に配置された熱源機と、
前記放熱器と前記熱源機との間で前記熱媒を循環させる第１流通経路と、を備えた空調システムにおいて、
前記放熱器を、前記建物内の居室の出入り口に配備された開閉手段、前記建物内の物品収納空間の開口部の開閉手段若しくは前記開閉手段の移動範囲に臨む領域に配置し、
前記建物内に外気を導入するための給気経路及び給気手段と、
前記建物内の空気が流出可能な排気経路と、を設け、
前記排気経路に、逆流防止機能と所定の圧力差で開放する機能を有する差圧調節手段を設けたことを特徴とする。
【手続補正３】
【補正対象書類名】明細書
【補正対象項目名】００２１
【補正方法】変更
【補正の内容】
【００２１】
さらに、前記給気手段で導入される外気を浄化する清浄化手段と、
前記給気手段で導入される外気の温度調節を行う熱交換器と、
前記熱交換器と前記熱源機との間で前記熱媒を循環させる第２流通経路と、を設けることもできる。